(57)【要約】  瓶詰め飲料を冷やす装置であって、該装置は、使用時にボトルを収容するアクセス開口部を取り囲んでいる垂下構造部と、前記アクセス開口部を介してアクセス可能なボトルチャンバを画定する、上部が開口した容器であって、該容器が、前記垂下構造部に結合された管状壁と、前記アクセス開口部に対向する閉じたベースとを具備する容器と、熱交換器と、前記容器の前記ベースと熱的に連通している熱入力側と、前記熱交換器と熱的に連通している熱出力側とを有する冷却装置とを備え、前記熱交換器は、前記壁と前記容器の前記ベースとを介して、前記垂下構造部から前記熱交換器まで延びる負荷経路を画定するように、前記容器の前記ベースから懸架されている。本発明の追加的な態様によれば、空気流路を実施するファンと、前記熱交換器および容器を一緒に分離する熱ブリッジおよびインサートとを組み込んだ装置とを含む装置が提供される。本発明のさらなる実施形態は、タッチセンサ式ベゼルと、前記装置を制御する制御システムとを含む。
2019507314.tif 000002
【特許請求の範囲】
【請求項１】
瓶詰め飲料を冷やす装置であって、
使用時にボトルを収容するアクセス開口部を取り囲んでいる垂下構造部と、
前記アクセス開口部を介してアクセス可能なボトルチャンバを画定する、上部が開口した容器であって、該容器が、前記垂下構造部に結合された管状壁と、前記アクセス開口部に対向する閉じたベースとを具備する容器と、
熱交換器と、
前記容器の前記ベースと熱的に連通している熱入力側と、前記熱交換器と熱的に連通している熱出力側とを有する冷却装置と、を備え、
前記熱交換器は、前記壁と前記容器の前記ベースとを介して、前記垂下構造部から前記熱交換器まで延びる負荷経路を画定するように、前記容器の前記ベースから懸架される装置。
【請求項２】
前記容器および前記垂下構造部に結合される環状フレームをさらに備える、請求項１に記載の装置。
【請求項３】
前記フレームは、協働ねじによって前記垂下構造部に結合される、請求項２に記載の装置。
【請求項４】
前記協働ねじは、前記垂下構造部上に雄型ねじを、および前記フレーム上に雌型ねじを備える、請求項３に記載の装置。
【請求項５】
前記フレームの外側面の周囲溝に組み込まれる周方向シールをさらに備える、請求項２〜４のいずれか１項に記載の装置。
【請求項６】
前記フレームは、前記フレームを取り囲み、および雄型ねじに沿って前記垂下構造部に向かって進むように構成されたクランプリングと協働する雄型ねじを備える、請求項２〜５のいずれか１項に記載の装置。
【請求項７】
前記フレームは、前記容器と協働するように径方向内側に延びる環状フランジ備える、請求項２〜６のいずれか１項に記載の装置。
【請求項８】
前記容器は、前記フランジに取付けられている径方向外側に突出するリップを有する、請求項７に記載の装置。
【請求項９】
前記リップは、前記垂下構造部と前記フランジとの間に締め付けられる、請求項８に記載の装置。
【請求項１０】
前記垂下構造部の径方向内側の前記容器と前記垂下構造部との間にはギャップがある、請求項２〜９のいずれか１項に記載の装置。
【請求項１１】
環状光学素子が前記ギャップ内に設けられる、請求項１０に記載の装置。
【請求項１２】
光路が、前記光学素子から、前記垂下構造部と前記フレームとの間に設けられた照明システムまで延びている、請求項１１に記載の装置。
【請求項１３】
前記光学素子は、前記垂下構造部と前記フレームとの間に締め付けられる、請求項１１又は１２に記載の装置。
【請求項１４】
前記フレームは、環状スカートと前記管状壁との間に環状凹部を画定するように、前記容器の該壁から径方向に離間されている前記管状スカートと、前記容器を取り囲み、および前記凹部に配置される管状断熱材とを備える、請求項２〜１３のいずれか１項に記載の装置。
【請求項１５】
前記装置は、前記容器を取り囲み、および前記垂下構造部に結合されるハウジングをさらに備える、請求項２〜１４のいずれか１項に記載の装置。
【請求項１６】
前記ハウジングは、前記フレームを介して前記垂下構造部に結合される、請求項１５に記載の装置。
【請求項１７】
前記ハウジングと前記フレームは入れ子状に結合される、請求項１６に記載の装置。
【請求項１８】
前記フレームから垂下するスカートは、前記ハウジングに対して相補的な同軸湾曲部を有する、請求項１５〜１７のいずれか１項に記載の装置。
【請求項１９】
前記フレームは、断熱ポリマー材料で形成される、請求項２〜１８のいずれか１項に記載の装置。
【請求項２０】
前記冷却装置は、前記熱交換器により、前記容器の前記ベースに接触して保持される、請求項１〜１９のいずれか１項に記載の装置。
【請求項２１】
前記熱交換器は、前記容器の前記ベースから直接懸架される、請求項２０に記載の装置。
【請求項２２】
前記熱交換器は、軸方向に延びる固定具により、前記容器の前記ベースから懸架される、請求項２１に記載の装置。
【請求項２３】
前記固定具は、前記容器の前記ベースを通って延びている、請求項２２に記載の装置。
【請求項２４】
前記固定具は、前記容器に面している前記ベースの側のカバーによって隠される、請求項２３に記載の装置。
【請求項２５】
前記カバーは、前記容器の前記ベースの凹部に収容される、請求項２４に記載の装置。
【請求項２６】
前記カバーは、前記容器の前記ベースの実質的に同一平面の内側面を画定する、請求項２４又は２５に記載の装置。
【請求項２７】
前記熱交換器は、前記冷却装置を介して、前記容器の前記ベースから懸架される、請求項１〜２０のいずれか１項に記載の装置。
【請求項２８】
瓶詰め飲料を冷やす装置であって、
ボトルチャンバを画定する、上部が開口した容器であって、該容器が管状壁と、長手方向軸と、閉じたベースとを有する容器、
前記容器の前記ベースの外側面と、熱交換器との間にギャップを画定するように、前記外側面から長手方向に離間された前記熱交換器、
前記ギャップ内に設けられた断熱インサート、
前記容器の前記ベースと熱的に連通する熱入力側と、前記熱交換器と熱的に連通する熱出力側とを有する冷却装置、及び
前記容器の前記ベースの内側面から前記熱交換器まで延びる熱流路の一部として、前記冷却装置と熱的に連通接触している熱ブリッジであって、長手方向軸に直交する平面が、前記熱ブリッジおよび前記インサートを通って延びるように、該インサートの傍に配置される熱ブリッジ、を備える装置。
【請求項２９】
前記熱ブリッジは、前記容器の前記ベースと一体化される、請求項２８に記載の装置。
【請求項３０】
前記冷却装置と熱的に連通接触している前記熱ブリッジの少なくとも遠位部は、前記長手方向軸周りで、前記ベースの周辺部よりも狭小になっている、請求項２９に記載の装置。
【請求項３１】
前記ベースの前記周辺部は、前記長手方向軸に対して横方向に延び、および前記熱ブリッジは、長手方向に延びる、請求項３０に記載の装置。
【請求項３２】
前記熱ブリッジは、前記ベースの前記周辺部よりも長手方向がより厚くなっている、請求項３０又は３１に記載の装置。
【請求項３３】
前記冷却装置の前記熱入力側は、前記熱ブリッジと熱接触し、および前記冷却装置の前記熱出力側は、前記熱交換器と熱接触している、請求項２８〜３２のいずれか１項に記載の装置。
【請求項３４】
断熱スリーブが前記容器を取り囲む、請求項２８〜３３のいずれか１項に記載の装置。
【請求項３５】
前記ギャップ内に設けられた前記断熱インサートは、前記スリーブと一体化して、断熱カップを形成している、請求項３４に記載の装置。
【請求項３６】
前記断熱カップは、前記インサートが前記スリーブから前記長手方向軸に向かって内側に延びているＬ字状の長手方向部分を有する、請求項３５に記載の装置。
【請求項３７】
前記容器と前記熱ブリッジは、前記長手方向軸周りで回転対称を有する、請求項２８〜３６のいずれか１項に記載の装置。
【請求項３８】
前記断熱インサートは、前記長手方向軸周りに回転対称も有する、請求項３７に記載の装置。
【請求項３９】
前記断熱インサートは、前記長手方向軸に対して直角な前記平面内で、前記熱ブリッジを取り囲む、請求項２８〜３８のいずれか１項に記載の装置。
【請求項４０】
前記断熱インサートは、前記平面内で環状断面を有する、請求項３９に記載の装置。
【請求項４１】
前記冷却装置の前記熱出力側と熱接触する液体用リザーバと、前記リザーバと、前記熱交換器の熱交換構成部との間の液体循環経路とをさらに備える、請求項２８〜４０のいずれか１項に記載の装置。
【請求項４２】
瓶詰め飲料を冷やす装置であって、
ボトルチャンバを画定する、上部が開口した容器であって、管状壁およびベースを有する容器と、
前記容器の前記ベースおよび熱交換器と熱的に連通している冷却装置と、
前記容器を取り囲み、および前記冷却装置および前記熱交換器を包囲する管状ハウジングと、
使用時に、前記ハウジングのインレットから、前記熱交換器を横切って前記ハウジングのアウトレットまで延びる空気流路に沿って空気を流すように構成されたファンと、を備える装置。
【請求項４３】
前記インレットまたは前記アウトレットの一方は、前記ハウジングの管状壁を通って延び、および前記インレットまたは前記アウトレットの他方は、該管状壁によって包囲される、請求項４２に記載の装置。
【請求項４４】
前記インレットまたは前記アウトレットの一方は、前記ハウジングの前記管状壁の周りに実質的に連続して延びている、請求項４３に記載の装置。
【請求項４５】
前記ハウジングに結合され、および前記ハウジングの前記管状壁によって包囲されている前記インレットまたは前記アウトレットと連通して、前記ハウジングから長手方向に延びている外部ダクトをさらに備える、請求項４３又は４４に記載の装置。
【請求項４６】
前記空気流路を辿る空気流を、前記インレットから前記アウトレットに向かって、実質的に軸方向の内向きフローから、軸方向を横切る外向きフローに、または、軸方向を横切る内向きフローから、実質的に軸方向の外向きフローのいずれかにそらすように形成された、前記ハウジング内の少なくとも一つの空気流ガイドをさらに備える、請求項４２〜４５のいずれか１項に記載の装置。
【請求項４７】
前記インレットおよび前記アウトレットはともに、前記ハウジングの管状壁を通って延びている、請求項４２に記載の装置。
【請求項４８】
前記インレットと前記アウトレットは、前記管状ハウジングの長手方向軸周りに直径方向に対向している、請求項４７に記載の装置。
【請求項４９】
前記インレットおよび／または前記アウトレットは、前記ハウジングを貫通する実質的に六角形の開口から成るハニカムアレイを備える、請求項４２〜４８のいずれか１項に記載の装置。
【請求項５０】
瓶詰め飲料を冷やす装置であって、
使用時にボトルを収容するためのアクセス開口部を取り囲むベゼルであって、垂下構造部を構成またはカバーするベゼルと、
前記垂下構造部に接続された、上部が開口した容器であって、前記アクセス開口部を介してアクセス可能なボトルチャンバを画定する容器と、
前記容器を冷却するように構成された冷却装置と、
前記ベゼルに電気的に接続され、および該ベゼルとのユーザのやりとりに応動して前記装置の動作条件を変えるように構成される制御システムであって、ユーザのやりとりは、前記ベゼルの静電容量式タッチセンサ面の電気容量を変化させる、制御システムと、を備える装置。
【請求項５１】
前記制御システムは、前記冷却装置に電気的に接続され、および前記装置の前記動作条件は、前記冷却装置の動作条件である、請求項５０に記載の装置。
【請求項５２】
前記制御システムは、照明システムに電気的に接続され、および前記装置の前記動作条件は、前記照明システムの動作条件である、請求項５０又は５１に記載の装置。
【請求項５３】
前記制御システムは、前記ベゼルに対する少なくとも一回のタップ動作を実行することを含むユーザのやりとりに応動して、前記装置の前記動作条件を変えるように構成される、請求項５０〜５２のいずれか１項に記載の装置。
【請求項５４】
前記制御システムは、時間ウィンドウ内での前記ベゼルに対する第一のセットのタップ動作を実行することを含む第一のユーザのやりとりに応動して、前記装置の前記動作条件を変えるように構成される、請求項５３に記載の装置。
【請求項５５】
前記制御システムは、時間ウィンドウ内での前記ベゼルに対する第二のセットのタップ動作を実行することを含む第二のユーザのやりとりに応動して、前記装置の前記動作条件を変えるように構成され、該第二のセットのタップ動作は、前記第一のセットのタップ動作とは異なる、請求項５４に記載の装置。
【請求項５６】
前記制御システムは、前記装置の前記動作条件を、変更された状態で所定期間、維持するように構成される、請求項５０〜５５のいずれか１項に記載の装置。
【請求項５７】
前記制御システムは、所定期間内に、前記ベゼルとのユーザのやりとりが行われた場合、前記装置の前記動作条件を変えないように構成される、請求項５６に記載の装置。
【請求項５８】
前記制御システムは、前記所定期間が経過した場合、前記装置の前記動作条件を、先の動作条件に戻すように構成される、請求項５６又は５７に記載の装置。
【請求項５９】
前記制御システムは、前記所定期間が経過した後にのみ、前記ベゼルとの前記ユーザのやりとりに応動して、前記装置の前記動作条件を変えるように構成される、請求項５６〜５８のいずれか１項に記載の装置。
【請求項６０】
請求項１〜５９のいずれか１項に記載の装置を備えた家具のアイテム。
【発明の詳細な説明】
【技術分野】
【０００１】
本発明は、瓶詰め飲料を冷やす装置に関する。より具体的には、本発明は、シャンパンボトルやワインボトルを長期間、保冷することが可能な装置に関する。
【背景技術】
【０００２】
ラグジュアリースピリッツや高級ワインは、特定の条件下で最も良く体験される。例えば、シャンパンは、７℃〜１０℃の範囲の温度で飲むべきであることはよく知られている。そのため、ボトルの内容物を所望の温度範囲内に維持することが望ましい。また、急激な変化は、該内容物にダメージを与えて、該内容物を飲み難くしたり、飲用に適さなくしたりする可能性があるため、該ボトルは、正しく冷やしたり、温めたりしなければならない。
【０００３】
開栓前、ボトル温度は、該ボトルをワイン冷蔵庫またはワインセラーに保管することによって容易に調節される。しかし、該飲料が飲まれる環境は暖かい可能性があるため、該ボトルを該冷蔵庫またはセラーから取り出すと、直ぐに温度上昇プロセスが始まる。該飲料の該温度は、開栓と、注ぎ入れ／飲酒との間のこの期間中に正しく調節しなければならない。
【先行技術文献】
【特許文献】
【０００４】
【特許文献１】国際公開第２０１１／１４８１８２号
【発明の概要】
【発明が解決しようとする課題】
【０００５】
現在、この問題に対する、欠点のある（しかし、ポピュラーな）解決策は、アイスバケット、すなわち、該ボトルがその中に入れられる水と氷がたくさん入っている容器を用いることである。残念なことに、アイスバケットは、体裁が悪く、動かし難く、および不便であり、テーブル表面の多くのスペースを取っている。また、アイスバケットの場合、温度調節は不可能であるため、該飲用温度は、該氷が解けるにつれて再び昇温する前に、最適な温度以下に良好に降温する可能性がある。該氷が解けた場合、該水は室温に戻り、該ボトルの該温度を水によって室温まで昇温させる。そのため、該ボトルの内容物が、該正しい温度になっている非常に小さなウィンドウがある。
【０００６】
より有効な異なるアプローチが、本出願人の出願である、国際公開第２０１１／１４８１８２号で見られ、該出願は、アイスバケットの代替品を提供する電気式ボトル冷却装置について記載している。該装置は、支持リップから懸架され、および熱電的に冷却される、上部が開口した内部チャンバを有している。国際公開第２０１１／１４８１８２号で開示されている該装置は、動作は有効であるが、いくつかの問題を抱えている。本発明は、それらの問題を克服するために、および該従来技術に勝る改良物を提供するために考案されている。
【課題を解決するための手段】
【０００７】
概要
本発明の態様によれば、瓶詰め飲料を冷やす装置が提供され、該装置は、使用時にボトルを収容するアクセス開口部を取り囲んでいる垂下構造部と、前記アクセス開口部を介してアクセス可能なボトルチャンバを画定する、上部が開口した容器であって、該容器が、前記垂下構造部に結合された管状壁と、前記アクセス開口部に対向する閉じたベースとを具備する容器と、熱交換器と、前記容器の前記ベースと熱的に連通している熱入力側と、前記熱交換器と熱的に連通している熱出力側とを有する冷却装置とを備え、前記熱交換器は、前記壁と前記容器の前記ベースとを介して、前記垂下構造部から前記熱交換器まで延びる負荷経路を画定するように、前記容器の前記ベースから懸架されている。
【０００８】
上述したような冷却装置は、該装置のどの構成要素部分にも過剰な負担または応力をかけることなく、表面から懸架することができる、構造的に安定した装置を有益にもたらす。このことは、該装置を介した力の配分によって実現される。
【０００９】
さらに、前記熱交換器を前記容器から懸架することにより、冷却装置と、容器と、熱交換器との間の該間隔を最小限にして、熱的性能を向上させることができる。このサスペンションは、該所要の固定具の該重量およびサイズも低減する。
【００１０】
上記装置は、環状フレームを備えてもよい。該環状フレームは、上記容器に結合することができ、および上記垂下構造部に結合することができる。フレームを組み込むことにより、該装置全体にわたって力の配分がさらに改善され、該装置の構造安定性が確実に維持される。
【００１１】
必要に応じて、上記フレームは、協働ねじによって前記垂下構造部に結合される。該協働ねじは、該垂下構造部上に雄型ねじを備えていてもよい。該協働ねじは、該フレーム上に雌型ねじを備えていてもよい。
【００１２】
上記装置は、周方向シールをさらに備えてもよい。該周方向シールは、該フレームの外側面の周囲溝に組み込んでもよい。有利には、周方向シールは、使用時において、取付面から懸架された場合に、上記装置が安定的に懸架されることを確保する。また、該シールは、該装置を、起きる可能性のある液漏れから保護する。
【００１３】
上記フレームは、該フレームを取り囲む雄型ねじを備えてもよい。該雄型ねじは、該雄型ねじに沿って、上記垂下構造部に向かって進められるように構成されたクランプリングと協働することができる。該クランプは、取付面から懸架された場合に、該装置をさらに安定化するのに特に有用であり、および該装置を該表面から容易に取り外すことができないことを確実にする。また、該クランプは、異なる負荷に曝された場合に、該装置の動きを確実に最小限にする。
【００１４】
上記フレームは、上記容器と協働するように、径方向内側に延びている環状フランジを備えてもよい。該容器は、該フランジに取付けられている径方向外側に突出するリップを有してもよい。該リップは、上記垂下構造部および／または該フランジ間に締着してもよい。これらの形状構成は、上記装置にわたる負荷の該配分をさらに改善する。該垂下構造部および／または該フランジ間に該リップを締着することは、シームレスボトムチャンバを可能にし、および該フレームを、使用時に視界から隠すことを可能にする。
【００１５】
上記容器と、上記垂下構造部との間にギャップがあってもよい。該ギャップは、該垂下構造部の径方向内側にあってもよい。環状光学要素を、該ギャップ内に配置してもよい。光路は、該光学要素から、該垂下構造部と該フレームとの間に配置された照明システムまで延びていてもよい。該光学要素は、該垂下構造部と該フレームとの間に締着してもよい。
【００１６】
上記フレームは、環状スカートを備えてもよい。該環状スカートは、該スカートと該壁との間に環状凹部を画定するために、上記容器の該管状壁から径方向に離間させることができる。該容器を取り囲む管状断熱材を、該凹部に設けてもよい。
【００１７】
上記装置は、上記容器を取り囲むハウジングを備えてもよい。該ハウジングは、上記垂下構造部に結合することができる。該ハウジングは、上記フレームを介して該垂下構造部に結合することができる。該ハウジングは、該装置のシームレス外側面を形成するので特に有利であり、および該装置全体をさらに保護する。例えば、該装置は、使用時に、誤って蹴られる可能性があり、およびハウジングの組込みは、このことが、該装置のどの構成要素も損傷させないことを確実にする。
【００１８】
上記ハウジングと上記フレームは、入れ子状に結合することができる。該フレームから垂下するスカートは、該ハウジングに関して相補的な同軸湾曲部を有してもよい。該フレームは、断熱ポリマー材料で形成してもよい。断熱スリーブは、上記容器を断熱し、および該容器からの熱伝導を低減することにより、ボトルを冷却する際の上記装置の性能を有益に向上させる。
【００１９】
必要に応じて、上記冷却装置は、上記熱交換器により、上記容器の上記ベースに押し付けてもよい。該熱交換器は、該容器の該ベースから直接、懸架してもよく、また、軸方向に延びている固定具により、該容器の該ベースから懸架してもよい。
【００２０】
上記軸方向に延びている固定具は、上記容器の上記ベースを貫通して延びていてもよい。該軸方向に延びている固定具は、該容器に対向している該ベースの側のカバーによって隠してもよい。該カバーは、該容器の該ベースの凹部に収容することができ、および該容器の該ベースの実質的に平坦な内側面を画定することができる。該熱交換器は、上記冷却装置を介して、該容器の該ベースから懸架してもよい。
【００２１】
本発明の別の態様によれば、瓶詰め飲料を冷やす装置が提供され、該装置は、ボトルチャンバを画定する、上部が開口した容器であって、該容器が管状壁と、長手方向軸と、閉じたベースとを有する容器、外側面と、熱交換器との間にギャップを画定するように、該容器の該ベースの外側面から長手方向に離間された該熱交換器、該ギャップ内に設けられた断熱インサート、該容器の該ベースと熱的に連通する熱入力側と、該熱交換器と熱的に連通する熱出力側とを有する冷却装置、及び該容器の該ベースの内側面から該熱交換器まで延びる熱流路の一部として、該冷却装置と熱的に連通接触している熱ブリッジであって、該長手方向軸に直交する平面が、該熱ブリッジおよび該インサートを通って延びるように、該インサートの傍に配置される該熱ブリッジを備えている。
【００２２】
上記冷却装置と、上記容器の該ベースとの間の熱ブリッジと断熱インサートの組合せは、該装置の冷却効率および冷却能力を有益に向上させ、その結果、該容器の該温度を、該冷却装置に対するより少ない作動上の負荷応力で、より長く維持することができる。より詳細に考察すると、該熱ブリッジは、該熱交換器と該容器との間の間隔を増加させて、制御された伝導領域が、該冷却装置および該熱交換器に確実に曝される。該熱ブリッジが含まれていない場合には、該冷却装置の該冷却効果は、該容器を再加熱する該熱交換器から散逸した該熱によって打ち消される可能性がある。同様に、該インサートは、該熱交換器と該容器との間に、実質的な断熱分離をもたらす。
【００２３】
上記熱ブリッジは、上記容器の該ベースと一体化してもよい。該ベースと熱ブリッジの一体化は、上記熱流路に沿って受ける損失を低減する。
【００２４】
上記冷却装置と熱的に連通接触している上記熱ブリッジの少なくとも遠位部は、上記長手方向軸周りで、上記ベースの周辺部よりも狭小であってもよい。上記ベースの該周辺部は、該長手方向軸に関して横方向に延びていてもよく、および該熱ブリッジは、長手方向に延びている。該熱ブリッジは、該ベースの該周辺部よりも長手方向により厚くなっていてもよい。これらの形状構成は、熱交換器と容器ベースとの間の分離をさらに改善する。
【００２５】
上記冷却装置の上記熱入力側は、上記熱ブリッジと熱接触していてもよい。該冷却装置の上記熱出力側は、上記熱交換器と熱接触していてもよい。
【００２６】
断熱スリーブは、上記容器を包囲することができる。
【００２７】
上記ギャップ内に設けられた上記断熱インサートは、上記スリーブと一体化してもよい。該断熱インサートは、断熱カップを構成することができる。該断熱カップは、該インサートが、該スリーブから上記長手方向に向かって内側に延びているＬ字状の長手方向断面を有してもよい。Ｌ字状の断熱カップは、該断熱カップの形状および熱ブリッジの形状を、熱交換器と容器ベースとの間の分離を実現するように正確に調整できるようにする。
【００２８】
上記容器および上記熱ブリッジは、上記長手方向軸に関して回転対称を有してもよい。上記断熱インサートは、該長手方向軸に関して回転対称を有してもよい。該断熱インサートは、該長手方向軸に直行する前記平面内で、該熱ブリッジを包囲することができる。該断熱インサートは、前記平面内に環状断面を有していてもよい。
【００２９】
上記装置は、液体用容器を備えていてもよい。該容器は、上記冷却装置の上記熱出力側と熱接触していてもよい。該装置は、該容器と、該熱交換器の熱交換構成部との間に、液体循環経路を備えていてもよい。液体冷却は、該最高温度領域から離れる安定した熱流を確保することにより、対流により、または、ポンプの使用により、該熱交換器の該冷却効果をかなり向上させる。
【００３０】
本発明の別の態様によれば、瓶詰め飲料を冷やす装置が提供され、該装置は、ボトルチャンバを画定する、上部が開口した容器であって、管状壁およびベースを有する容器と、前記容器の該ベースおよび熱交換器と熱的に連通している冷却装置と、前記容器を取り囲み、および前記冷却装置および該熱交換器を包囲する管状ハウジングと、使用時に、該ハウジングのインレットから、該熱交換器を横切って該ハウジングのアウトレットまで延びる空気流路に沿って空気を流すように構成されたファンとを備えている。
【００３１】
熱交換器を横切る空気流は、該周囲大気への熱の一定かつ効率的な散逸を維持するのに特に重要である。また、上記ファンは、上記装置の該再加熱が、上記冷却装置によってもたらされる冷却を妨げないように、加熱された空気を放出できなければならない。上述した空気流路に沿って空気を流すように構成されたファンを含む該装置は、該熱交換器からアウトレットへ該加熱された空気を具体的に方向付けることにより、およびインレットから該熱交換器へ冷たい空気を引き込むことにより、有利な放熱特性をもたらす。このようにして、空気は、効率的にかつ迅速に該熱交換器を横切って移動される。
【００３２】
上記インレットまたは上記アウトレットの一方は、上記ハウジングの管状壁を通って延びていてもよく、また、該インレットまたはアウトレットの他方は、該管状壁によって包囲されていてもよい。
【００３３】
上記インレットまたは上記アウトレットの一方は、上記ハウジングの上記管状壁の周りで実質的に連続して延びていてもよい。
【００３４】
上記装置は、上記ハウジングの上記管状壁によって包囲されている上記インレットまたはアウトレットと連通する該ハウジングに結合され、および該ハウジングから長手方向に延びている外部ダクトを備えていてもよい。外部ダクトは、加熱された空気を該装置から離して方向付け、または、冷たい空気をそれに向かって方向付ける際に特に有用である。
【００３５】
上記装置は、上記ハウジング内に、少なくとも一つの空気流ガイドを備えていてもよい。該空気流ガイドは、上記インレットから上記アウトレットに向かって空気流路を流れている空気流を、実質的に軸方向内側の流れから、軸方向を横切る外側の流れへ、または、軸方向を横切る内側の流れから、実質的に軸方向外側の流れへのいずれかにそらすように形作ることができる。
【００３６】
上記インレットおよび上記アウトレットはともに、上記ハウジングの管状壁を通って延びていてもよい。該インレットと該アウトレットは、該管状ハウジングの長手方向軸周りで直径方向に対向していてもよい。
【００３７】
上記インレットおよび／または上記アウトレットは、上記ハウジングを貫通する実質的に六角形の開口から成るハチの巣状のアレイを備えていてもよい。ハチの巣状のアレイは、空気を引き込むための大きな開口領域を可能にするとともに、該ハウジング内の該所要の強度を保持する、特に有効な材料の使用である。
【００３８】
本発明の別の態様によれば、瓶詰め飲料を冷やす装置が提供され、該装置は、使用時にボトルを収容するためのアクセス開口部を取り囲むベゼルであって、垂下構造部を構成またはカバーするベゼルと、該垂下構造部に接続された、上部が開口した容器であって、該アクセス開口部を介してアクセス可能なボトルチャンバを画定する容器と、該容器を冷却するように構成された冷却装置と、該ベゼルに電気的に接続され、および該ベゼルとのユーザのやりとりに応動して該装置の動作条件を変えるように構成されている制御システムであって、ユーザのやりとりは、該ベゼルの静電容量式タッチセンサ面の電気容量を変化させる制御システムとを備えている。
【００３９】
制御システムを上記装置に組み込むことは、追加的かつ不必要なボタンまたはスイッチを要することなく、該ユーザが、明快かつ容易な方法で該デバイスを制御することを可能にするのに特に有用である。該装置は、使用時に、実質的に隠れることになるため、該デバイスを制御するための目に見える形状構成の該利用は、該ユーザの体験を改善する。
【００４０】
上記制御システムは、上記冷却装置に電気的に接続することができる。上記装置の該動作条件は、該冷却装置の動作条件であってもよい。例えば、該装置は、やりとりを利用して作動させてもよく、該ユーザは、該温度を変更してもよく、または、該装置の該スケジューリングを変えてもよい。
【００４１】
上記制御システムは、照明システムに電気的に接続してもよい。上記装置の該動作条件は、該照明システムの動作条件であってもよい。該装置の該カスタマイズ性は、該ユーザの体験をさらに向上させる。
【００４２】
上記制御システムは、ユーザのやりとりに応動して、上記装置の前記動作条件を変えるように構成してもよい。該ユーザのやりとりは、上記ベゼルに対する少なくとも一度のタップ動作の実行を含むことができる。
【００４３】
上記制御システムは、最初のユーザのやりとりに応動して、上記装置の前記動作条件を変えるように構成してもよい。該最初のユーザのやりとりは、ある時間ウィンドウ内で、上記ベゼルに対して、タップ動作の第一のセットを実行することを含んでもよい。
【００４４】
上記制御システムは、第二のユーザのやりとりに応動して、上記装置の前記動作条件を変えるように構成してもよい。該第二のユーザのやりとりは、ある時間ウィンドウ内で、上記ベゼルに対して、タップ動作の第二のセットを実行することを含んでもよく、タップ動作の第二のセットは、タップ動作の第一のセットとは異なる。一連のタップの形態で、複数のユーザのやりとりを提供することは、該装置の潜在的な用途を増加させて、該ユーザによる連続使用の可能性を高める。該ユーザの体験は、カスタマイズ可能な制御システムによってさらに高められる。
【００４５】
上記制御システムは、上記装置の上記動作条件を、所定期間、変更状態に維持するように構成してもよい。
【００４６】
上記制御システムは、上記ベゼルとのユーザのやりとりが、所定期間中に行われる場合、上記装置の前記動作条件を変えないように構成してもよい。
【００４７】
上記制御システムは、上記所定期間が経過した場合に、上記装置の前記動作条件を前の動作条件に戻すように構成してもよい。
【００４８】
上記制御システムは、上記所定期間が経過した後のみに、上記ベゼルとの前記ユーザのやりとりに応動して、上記装置の前記動作条件を変えるように構成してもよい。
【００４９】
本発明の別の態様によれば、上述した前記装置を備えた家具のアイテムが提供される。
【００５０】
この出願の範囲内で、先の段落に、クレームおよび／または以下の説明および図面に、および特に本発明の個々の形状構成に記載されているさまざまな態様、実施形態、実施例および代替例を、独立してまたは任意の組合せで採用できることが明確に意図されている。すなわち、任意の実施形態のすべての実施形態および／または形状構成は、そのような形状構成が不適合でない限り、何らかの方法および／または組合せで組合せることができる。本出願人は、元々そのようにクレームされていなくても、他のいずれかのクレームの任意の特徴に従属するようにおよび／または任意の特徴を包含するように、任意の元々出願されたクレームを補正する権利を含めて、任意の元々出願されたクレームまたはファイルを、それに応じて任意の新たなクレームに変更する権利を有する。
【図面の簡単な説明】
【００５１】
【図１】図１は、本発明による冷却装置の斜視図である。
【図２】図２は、長手方向断面における、図１の該装置の側面図である。
【図３】図３は、図１の該装置に組み込まれたＬＥＤ  ＰＣＢ基板の等角図である。
【図４】図４は、本発明の別の実施形態による冷却装置の口部の拡大部分断面図である。
【図５】図５は、本発明のさらなる実施形態による図１の該装置に組み込むことができるヒートシンクの斜視図である。
【図６】図６は、本発明のさらなる実施形態による図１の該装置に組み込むことができる別のヒートシンクの斜視図である。
【図７ａ】図７ａは、本発明のさらなる実施形態による図１の該装置に組み込むことができるヒートシンクの斜視図である。
【図７ｂ】図７ｂは、本発明のさらなる実施形態による図１の該装置に組み込むことができるヒートシンクの側断面図である。
【図８】図８は、本発明の別の実施形態による水冷システムを組み込んだ図１の該装置の長手方向の概略断面図である。
【図９】図９は、本発明の実施形態によるボトルシールを備える冷却装置の該口部の拡大断面図である。
【図１０ａ】図１０ａは、本発明の別の実施形態によるボトルロックを備える冷却装置のチャンバの長手方向の概略断面図である。
【図１０ｂ】図１０ｂは、本発明の別の実施形態によるボトルロックを備える冷却装置のチャンバの長手方向の概略断面図である。
【図１１】図１１は、図１に示すタイプの装置を制御および作動させるのに用いることができるハードウェアの略図である。
【図１２ａ】図１２ａは、本発明の装置において実施できる動作モードのフロー図である。
【図１２ｂ】図１２ｂは、本発明の装置において実施できる動作モードのフロー図である。
【図１２ｃ】図１２ｃは、本発明の装置において実施できる動作モードのフロー図である。
【図１２ｄ】図１２ｄは、本発明の装置において実施できる動作モードのフロー図である。
【発明を実施するための形態】
【００５２】
次に、本発明の実施形態を、添付図面を参照して、単に例示として説明する。
【００５３】
詳細な説明
本発明は、家具のアイテム、車両内部、または、他の好ましくは平坦な固いパネルに取り付けることができ、およびそれらとシームレスに一体化することができる、図１に実例を示すタイプの装置１０に関する。該装置１０は、一般に、飲料ボトルが開栓される前後の該ボトルの該内容物の該温度を維持するのに用いられる。図１を見て分かるように、該装置１０は、実質的に円筒形であり、およびボトルの少なくともより大きい下方部分をその中に入れることができる、上部が開口した円筒形のボトルチャンバ１２を含む。
【００５４】
図１の該装置１０は、フレーム１６と、ケーシングまたはハウジング１８と、クランプリング２０と、電源ケーブル２２と、リムまたはベゼル１４を含む垂下構造部とをさらに備えている。ベゼル１４は、該装置１０がその中に取り付けられている該パネルの穴を介した該装置１０のサスペンションを可能にし、一方、該ハウジング１８は、偶発的なキックまたはノックから該装置１０を保護する。該ハウジング１８は、材料の有効利用を実行し、および該ハウジング１８に必要な強度を保持しながら、空気流を最大化することにより、該装置１０の効率を向上させるのを補助する、千鳥状の六角形開口２４を含んでいる。ねじ２６は、該クランプリング２０を係合するためにフレーム１６の外側面２８に組み込まれ、その結果、該クランプリング２０は、該ねじ２６を上方に進めて、該穴の中の定位置に該装置１０を固定することができる。該装置１０は、該クランプリング２０を取り外した状態で、容易に動かしたり、取り外したりすることができる。
【００５５】
次に、図２を参照すると、該装置１０は、冷却容器３０と、冷却システム３２と、放熱システム３４とを含む。該冷却容器３０は、管状チャンバ壁３６およびベース部３８を備え、それぞれの内側面は、一緒にボトルチャンバ１２の大部分を画定している。該冷却容器３０は、上部が開口しており、該装置１０の上部の口部４２を画定し、および概してＵ字状の長手方向断面を有するように、該ボトルチャンバ１２を特徴付けている。
【００５６】
例えば、上方および下方に関する言及は、一般に、使用の方向性と一致するであろう、図に示されているようなアセンブリの該方向性に限定されること、および該方向性のみに関連することは意図されていないことは正しく認識されるであろう。
【００５７】
該冷却容器３０の該チャンバ壁３６は該管状チャンバ壁３６の上縁部に設けられ、および該上縁部から短い距離だけ径方向外側に延びている小さな支持リップ４４を備えている。該ベース部３８は、中央部分４６と、該中央部分４６から該チャンバ壁３６に向かって径方向外側に延びているフランジ４８とを備えている。該ベース部３８は、該チャンバ壁３６の下方縁部が、該ベース部３８の該フランジ４８に接合するように、および該チャンバ壁３６およびフランジ４８の両方の該外側面が位置合わせされるように設けられている。したがって、該チャンバ壁３６およびフランジ４８の両方の外径は等しい。被覆プレート５０が、後述するように、該ベース部３８の上面の中央に配置された、浅い円筒形凹部５２に配置されている。
【００５８】
該冷却容器３０がそれから製造される該材料は、優れた熱伝導性と、該冷却容器３０を、該リップ４４から確実に懸架することができ、およびボトルを反らすことなく確実に保持することができるような十分に高い引張強度とを有している。例えば、アルミニウム合金を、該容器３０の材料として用いてもよい。本実施形態において、該容器３０は、該チャンバ壁３６と該ベース部３８との間の熱伝導を最適化するために、単一のアイテムとして製造される。しかし、必要に応じて、該ベース部３８とチャンバ壁３６を別々に製造して、それらの構成要素をねじまたは接着剤で接合することは簡単なことであろう。該容器３０は、マーキング、摩耗、または、使用中の該容器３０の腐食を少なくするために、該装置１０の組立の前に、適切に陽極酸化処理される。凝結および凍結は、該装置１０の組立前に、該容器３０に施される疎水性コーティングによって低減することができる。さらに、該チャンバ壁３６と該ベース部３８との間に形成される角部は、該ボトルチャンバ１２を容易に清浄できるように、断面に丸みを付けてもよい。
【００５９】
典型的には、熱電式冷却装置またはペルチェ素子５４から成る上記冷却システム３２は、放熱システム３４と該冷却容器３０との間に挟まれており、該冷却システム３２の上面は、該冷却容器３０の該中央部分４６の下方面に熱接触して当接している。熱電式冷却装置は、該装置がホット側５６とコールド側５８を有するように、ペルチェ効果を利用して、該装置の一方の側から他方へ熱を伝達する。該冷却システム３２に接触している該容器３０の表面は、好ましくは、可能な限り平坦になるようにラッピングされて、該冷却システム３２の該平坦な上面に一致させる。このことは、該冷却システム３２と容器３０との間の表面接触を強化して、それらの間の熱伝達を改善する。
【００６０】
該放熱システム３４は、ヒートシンク６０と冷却ファン６２を備えている熱交換器を備えている。該ヒートシンク６０は、主本体６４と、該主本体６４から延びている複数の放熱要素６６とを含む。該熱電式冷却装置５４の該ホット側５６は、ヒートシンク６０の該主本体６４と接触している。該冷却装置５４の冷却作用によって伝達された熱は、主本体６４へ、および該ヒートシンク６０の該複数の放熱要素６６にも同様に伝達される。該ヒートシンク６０は、放熱要素６６の効力によって大きく露出した表面領域を設けることにより、該冷却装置５４からの放熱を援助する。該冷却装置５４に接触している該ヒートシンク６０の該主本体６４の該上面は、好ましくは、該冷却装置５４の平坦な下方面に一致させることにより、該冷却装置５４から該ヒートシンク６０への該熱伝達を改善するようにラッピングされる。
【００６１】
上記冷却装置５４は、該ヒートシンク６０の該上面と該冷却装置５４との間のサイズの相対的差異のため、小さな接触領域のみにわたって、熱を該ヒートシンク６０へ放熱する。該システムの効率を向上させるために、該装置から一様にかつ迅速に熱を放熱するように、代替的なヒートシンク構成を組み込んでもよい。それらの代替例については、後に図５から図８を参照してより詳細に議論する。
【００６２】
依然として図２に注目すると、該ヒートシンク６０は、ねじ６８等の複数の固定具により、該冷却容器３０に固定され、および該冷却容器から懸架されている。該冷却容器３０とヒートシンク６０との間の浅い空隙７０は、該冷却装置５４を組み込むのに十分な深さになっている。該ねじ６８は、該冷却容器３０の該ベース部３８を貫通して、該ヒートシンク６０まで延びている。該ねじ６８の該頭部７２は、該ベース部３８の該中央凹部５２の縁部に配置されている。該被覆プレート５０は、該凹部５２に配置されて、該ねじ６８の該頭部７２を被っている。該被覆プレート５０は、該ねじ６８、該冷却装置５４およびヒートシンク６０に対する湿害から保護し、および分解および／またはメンテナンスが必要な場合に、該ねじ６８への容易なアクセスをもたらす。また、該被覆プレート５０は、該ねじ６８を隠し、および商標等の印を有して、視覚的に訴えるチャンバベースを形成してもよい。該ベース部３８の該中央部分４６の直径は、熱質量を低減し、および該容器３０を冷却するのを援助するために、可能な限り小さい寸法を有することを留意すべきである。したがって、該中央部分４６は、該容器３０の内側面と該冷却装置５４との間の熱ブリッジとして考えることができる。
【００６３】
上記冷却容器３０は、その支持リップ４４によって、該フレーム１６から懸架されている。該フレーム１６は、環状外側リング７４と、該外側リング７４から径方向内側に延びているシェルフ７６とで形成されている。該外側リング７４は、上方部７８と下方部８０とを備えている。該外側リング７４の該上方部７８は、内側に面している雌型ねじ８２を含む。周囲溝８４は、該上方部７８の該外側面に画定されており、該溝には、ゴム製のシーリングリング８６が嵌められている。該シーリングリング８６は、該装置１０がその中に取り付けられるパネルを封止する。該外側リング７４の該下方部８０は、後述するように、該クランプリング２０をその上にねじ込むことができる、外側に面する雄型ねじ２６を含む。該シェルフ７６は、該環状外側リング７４から該冷却容器３０に向かって径方向内側に延びている。
【００６４】
上記フレーム１６は、ポリオキシメチレン等の良好な熱安定性および耐湿性を備えた熱可塑性物質から構成されている。ポリオキシメチレン等の材料の利点は、二つある。第一に、プラスチックは、良好な断熱材および絶縁物であり、そのため、該フレーム材料としてのプラスチックの使用は、該装置１０が可能な限り良好に絶縁されることを確実にする。第二に、他の合成ポリマーに勝る利点は、温度の変動に曝された場合に、ポリオキシメチレンのような材料は、膨張も収縮もしないということである。このことは、どのようなねじ付き要素も、動作中に固着せず、または反らないことを確実にする。
【００６５】
上記装置１０の該口部４２は、該ベゼル１４によって画定されている。該ベゼル１４は、内径および外径を有し、および丸みの付いた上面９４と、径方向外側のベゼルリップ９６と、雄型ねじ９８と、径方向内側のスカート１００とを備えている。
【００６６】
上記ベゼル１４の上記雄型ねじ９８は、上記外側リング７４の上記上方部７８の上記雌型ねじ８２に係合する。環状チャネル１０２が、上記シェルフ７６と上記スカート１００との間に画定されている。複数の圧縮ばね１０４と、環状のＬＥＤ  ＰＣＢ基板１０８を備えている光源１０６とが、上記容器３０の該リップと、上記外側リング７４の上記上方部７８との間の該環状チャネル１０２内に設けられている。
【００６７】
上記ＬＥＤ  ＰＣＢ基板１０８は、図３に、より詳細に図示されており、および環状のＰＣＢ基板１１０と、その光出力を分散させるために該基板の周りに角度を付けて離間された複数のＬＥＤ１１２とを備えている。該基板１１０の環状の形状は、組立を簡単にし、および故障が起きた場合でも容易に交換可能な部材をもたらす。
【００６８】
図２に戻ると、Ｐｅｒｓｐｅｘまたは同様のプラスチックから適切に製造された、環状の透明または半透明の光学素子１１４が、上記光源１０６の上部に配置され、および上記ベゼル１４の上記スカート１００と、上記容器３０の上記リップとの間に挟まれており、その結果、上記ＬＥＤ１１２からの光は、該光学素子１１４を通ってチャンバ１２内に差し込む。該光学素子１１４の上記内径は、該容器３０の該内径と等しく、そのため、該チャンバ１２の一部を形成している。
【００６９】
上記ベゼル１４が上記フレーム１６にねじ込まれるにつれて、上記スカート１００は、上記光学素子１１４を上記容器３０の上記リップ４４に押し付けて挟み込むため、このことは、該リップ４４を、該フレーム１６の該シェルフ７６に対して締め付けて、上記冷却容器３０を定位置に堅固に固定する。該ベゼル１４の該内径は、該容器３０の該内径および該光学素子１１４の内径に等しい。
【００７０】
上記ばね１０４は、上記ベゼル１４と、複数の容量性接点（図示せず）との間の接続を形成する。該ばね１０４は、該ベゼル１４に直接的に接続されておらず、そのため、上記フレーム１６とベゼル１４を接続したときに生じるねじり運動が、該ばね１０４を単純に圧縮する。該ばね１０４を圧縮する際、該ベゼル１４と、ばね１０４と、回路基板（図示せず）上の中央処理装置（ＣＰＵ）（図示せず）との間の接続により、タッチセンサを形成するように、所要の電気接続が形成される。このことは、タッチ制御能力を上記装置１０に実装できるようにする。対照的に、ケーブル接続を用いた場合、該ケーブルとベゼル１４との間の取付け、または、該ケーブルと後の構成要素との間の取付けは、該ベゼル１４のねじりによってストレスが加えられ、または、該ねじりによって損なわれる可能性がある。ばね１０４を用いることにより、シンプルな組立ておよび製造方法を実現できる。該ＣＰＵおよび回路基板については、図１１を参照してより詳細に後述する。
【００７１】
ベゼル１２２とフレーム１２４を接続する代替的な選択肢が図４に図示されており、該図は、本発明の別の実施形態による装置１２８の該口部１２６の一部の長手方向断面を示す。この実施形態では、該ベゼル１２２は、該フレーム１２４から該ベゼル１２２内に貫通して延びている複数の内側に面するねじ１３０によって、該フレーム１２４に接続されている。該ねじ１３０は、該フレーム１２４の外側面１３２と同一平面に位置している。この方法は、フレーム１２４とベゼル１２２をねじ込むことに対する代替例を提供し、および該装置１２８のシンプルで安い製造をもたらす。図示されているように該ねじ１３０を水平方向に挿入することは、他のどの構成要素にも干渉せず、具体的には、該ねじ１３０の影は、該ＬＥＤ１１２によって投じられず、また依然として、該ばね１０４および容量性接点（図示せず）に必要な圧縮を可能にする。
【００７２】
図２に戻ると、上記ベゼル１４の上記ベゼルリップ９６は、一般に、上記装置１０がそこを介して挿入されるパネルの該穴よりも幅広になっている。したがって、該装置１０を、該装置１０のために形成された該穴を取り囲む該パネルの材料上の該ベゼルリップ９６から懸架することができる。使用時に、該ベゼルリップ９６は、該装置１０とボトルを一体化した重量を支える。該装置１０を湿気進入からおよび／または使用時のずれから遮断するのを支援するために、摩擦またはシーリング要素（図示せず）を該ベゼルリップ９６に組み込んでもよい。代替的な実施形態において、該ベゼルリップ９６および該ベゼル１４は、円形以外の平坦な形状を有していてもよい。
【００７３】
上記ベゼル１４は、使用中の引っかき傷や摩耗に有益に強く、および該装置１０の効率および信頼性を向上させるために、上記冷却容器３０の熱伝導性よりも低い熱伝導性を有している。例えば、ＳＡＥグレード３１６または４４０のステンレス鋼、または、他の高炭素焼入れ鋼がベゼル１４に使用される。
【００７４】
別法として、導電性コーティングを、上記ベゼル１４の上記外側面９４に施してもよく、および該ベゼル１４を介して、上記複数のばね１０４と接触している別のコーティングに接続してもよい。
【００７５】
また、上述した特性を高めるために、さらなる処理を上記ベゼル１４に施してもよい。凝結および凍結は、疎水性コーティングで該ベゼル１４をコーティングすることにより、上記装置１０の上記口部４２の近傍で低減することができる。より堅く、より傷の付き難い外側コーティングを形成するために、該ベゼル１４は、物理気相成長法（Ｐｈｙｓｉｃａｌ  Ｖａｐｏｕｒ  Ｄｅｐｏｓｉｔｉｏｎ：ＰＶＤ）を用いて処理してもよい。
【００７６】
断熱スリーブまたはカップ１４０は、上記冷却容器３０および上記冷却装置５４を取り囲み、および該冷却容器３０を熱的に絶縁する。該断熱カップ１４０は、管状部１４２および環状フランジ部１４４を備えている。該管状部１４２の下方縁部は、該管状部１４２の外側面と該環状部１４４とが位置合わせされるように、該環状部１４４に接合している。該管状部１４２の内径は、該冷却容器３０の上記チャンバ壁３６の外径よりもわずかに大きくなっているが、該管状部１４２の厚さは、上記シェルフ７６の幅と同様である。該環状部１４４の内径は、該冷却容器３０の上記ベース部３８の上記中央部分４６の直径よりもわずかに大きくなっている。該環状部１４４の厚さは、該ベース部３８の該フランジ４８と、上記ヒートシンク６０の上記主本体６４との間の距離１４６よりもわずかに小さくなっている。
【００７７】
上記断熱カップ１４０は、好ましくは、単純化のために、および熱架橋を避けるために、図示されているような単一の部材として製造される。該断熱カップ１４０は、上記冷却装置５４の周りの非断熱空間を可能な限り小さく形成することにより、該冷却システム３２の効率を増加させ、また、動作時に熱くなる上記ヒートシンク６０から該冷却容器３０を断熱する。複数のケーブルチャネル（図示せず）が、該容器３０のいずれかの端部において構成要素を接続するためのケーブルを、そこを介して通すことができる断熱カップ１４０に組み込まれている。該断熱カップ１４０への回路の組込みは、該冷却容器３０の低温から、および生じる可能性のある何らかの湿気から該回路を保護する。
【００７８】
上記ハウジング１８は、図１を見て分かるように、上記装置１０の概して円筒形の外側面を画定するように、上記フレーム１６に接続されている。該ハウジング１８は、鋼等の頑丈な材料から製造され、および損傷を与える可能性のある衝撃から内部構成要素を保護する。例えば、テーブルに設置された場合、該装置１０は、該装置を利用する者によって偶発的にキックまたはノックされる可能性がある。
【００７９】
上記ハウジング１８は、その底面１５０に下部小穴または開口１４８を含み、および上記ヒートシンク６０の領域内の該ハウジング１８の両側１５２に側部開口２４を含む。開口２４、１４８は、典型的には、図１に示すように六角形であり、該材料の有効な利用を実行し、および空気流および熱交換のための最強であるが最大でもある領域を形成しているハニカム構造を形成している。
【００８０】
上記冷却ファン６２は、上記ヒートシンク６０の真下に設けられ、および該ヒートシンク６０を横切る空気流を増加させることによって冷却性を向上させるために、該ハウジング１８によって支持されている。図２に示す実施形態において、該冷却ファン６２は、使用時に、上記側部開口２４を介して空気を引き込み、および上記下部開口１４８を介して空気を放出させる軸方向ファンである。該ハウジング１８を介した空気の引き込みおよび放出は、すべて、該ハウジング１８を冷たく保持するのを援助する。別法として、該冷却ファン６２は、使用時に、該下部開口１４８を介して空気を引き込み、および該側部開口２４を介して空気を放出させてもよい。
【００８１】
上記ヒートシンク６０を利用して該冷却ファン６２を支持することが可能であろう。しかし、代わりに上記ファン６２を上記ハウジング１８から支持することにより、組立て、製造およびメンテナンスは、より安くかつよりシンプルになる。
【００８２】
上記装置１０が包囲され、および該空気流が管理を要する、本発明のいくつかの実施形態においては、ダクトシステム（図示せず）が、容易に入手可能なダクティングアダプタやダクトの利用によって、該ハウジング１８に取り付けられている。例えば、該円筒形の円形断面のハウジング１８は、それ自体が、上記下部開口１４８と連通するように該ハウジング１８の底端部１５０に取り付けられている円形断面ダクト（図示せず）に適している。該ダクトは、空気流が上記ファン６２によって送られる方向次第で、冷却空気を導入するのに、または、暖かい空気を排気するのに用いることができる。
【００８３】
図５は、代替的なヒートシンク１６０を示す。このデザインは、複数のヒートパイプ１６２と、中央熱伝達チャンバ１６４と、複数の積層型水平環状フィン１６６とを含んでいる。設置した場合、上記冷却システム３２の上記冷却装置５４は、伝達チャンバ１６４の上面または熱伝達プレート１６８に当接することができる。
【００８４】
上記フィン１６６は、複数の楔またはスペーサ（図示せず）を用いて、互いに等しく離間されるように、上記ヒートパイプ１６２上に配列され、および中央円筒形空隙１７０を形成するように位置合わせされている。遠心ファン（図示せず）を、該フィン１６６によって取り囲まれた中央空隙１７０内に配置してもよい。該遠心ファンは、上記軸方向ファン６２と置き換えてもよく、または、冷却能力を高めるために、両方を一緒に用いてもよい。
【００８５】
上記中央熱伝達チャンバ１６４は、冷却液を収容する小さな円筒形チャンバである。該チャンバ１６４は、上記中央空隙１７０の上に配置され、および上記冷却装置５４と同様の直径から成っている。
【００８６】
上記ヒートパイプ１６２は、上記中央熱伝達チャンバ１６４に接続しており、および該熱伝達チャンバ１６４の周囲に等しく離間されている。該パイプ１６２は、該中央チャンバ１６４から水平方向に短い距離だけ離れて延び、および上記フィン１６６を垂直方向に通るように直角に曲がっている。該ヒートパイプ１６２の両端部は、上記システム内に冷却液が流れないように閉じられている。より適切に言うと、熱伝達は、該冷却液内の対流によって実現される。該パイプ１６２とフィン１６６は熱接触して、それらの間で熱を容易に伝達できるようになっている。
【００８７】
熱は、使用時に、上記冷却装置５４の上記ホット側５６から、上記伝達チャンバ１６４へ伝達され、また、該伝達チャンバ１６４の上記熱伝達プレート１６８を介して、該伝達チャンバに収容されている液体へ伝達される。該熱は、上記フィン１６６の中に一様に分散され、フィンの大きな表面と容積の比が放熱を改善する。上記遠心ファンは、空気を下に引き込んで径方向に放出し、空気流を水平方向に供給して、上記ヒートシンク１６０を冷却するが、空気流の方向は逆にすることができる。
【００８８】
複数のヒートパイプ２６２と、中央熱伝達チャンバ２６４と、複数の水平方向フィン２６６と、軸方向ファン２６８とを含む、別の代替的なヒートシンク２６０が図６に図示されている。
【００８９】
上記複数の水平方向フィン２６６は、それぞれ積層状で水平方向に位置するように配置されている略半円形フィン２７０、２７２から成る二つのセットを備え、および楔またはスペーサ（図示せず）により、垂直方向に等しく離間されている。上記軸方向ファン２６８は、フィン２７０、２７２から成る該二つのセット間に挿入されている。設置した場合、上記冷却システム３２の上記冷却装置５４は、上記伝達チャンバ２６４の上面または熱伝達プレート２７４と熱接触している。
【００９０】
上記中央熱伝達チャンバ２６４は、冷却液を収容する小さな円筒形チャンバである。該チャンバは、上記フィン２６６および上記軸方向ファン２６８の上に配置され、および上記冷却装置５４と同様の直径から成っている。
【００９１】
ここでもまた、上記ヒートパイプ２６２は、上記中央熱伝達チャンバ２６４に接続されており、および該熱伝達チャンバ２６４の周囲に等しく離間されている。該パイプ２６２は、該伝達チャンバ２６４から水平方向に短い距離だけ離れて延び、および上記フィン２６６を垂直方向に通るように直角に曲がっている。該ヒートパイプ２６２の両端部は、上記システム内に冷却液が流れないように閉じられている。より適切に言うと、熱伝達は、該冷却液内の対流によって実現される。該パイプ２６２とフィン２６６は熱接触して、それらの間で熱を容易に伝達できるようになっている。
【００９２】
熱は、使用時に、上記冷却装置５４の上記ホット側５６から、上記伝達チャンバ２６４へ伝達され、また、該伝達チャンバ２６４の上記熱伝達プレート２７４を介して、該伝達チャンバに収容されている液体へ伝達される。該熱は、上記フィン２６６の中に一様に分散され、フィンの大きな表面と容積の比が放熱を改善する。上記軸方向ファン２６８は、空気を一方の側からフィン２６６を横切って引き込んで、該空気をその反対側で放出し、空気流を水平方向に供給して、上記ヒートシンク２６０を冷却する。
【００９３】
図７aおよび図７ｂの代替的なヒートシンク３６０は、複数のヒートパイプ３６２と、中央熱伝達チャンバ３６４と、複数のフィン３６６と、ブロック３６８とを備えている。該ブロック３６８は、中心垂直軸３７０周りの円形構成において、それぞれの垂直面内で、等しい角度で離間されている複数の四分の一の円形フィン３６６の間に嵌まるように形成され、その結果、それらの平坦な縁部３７２、３７４は、外側および下方に面している。その結果生じる空隙３７６は、丸みの付いた縁部を有する箇所を形成し、また、該ブロック３６８は、この空隙３７６を可能な限り多く埋めるように、および必要に応じて、該フィン３６６と熱接触するように形成される。したがって、該ブロック３６８は、その長手方向断面が、相互に漸近的な曲率を有する湾曲した側部を有する、回転対称の下方に向かって先細りになっている形状を有している。
【００９４】
上記ヒートパイプ３６２は、上記中央伝達チャンバ３６４に接続しており、および互いに実質的に平行に延びている。該パイプ３６２は、垂直方向に直角に曲がる前に、該チャンバから該ブロック３６８の縁部に向かって水平方向に出る経路に追従する。それらの経路は、該パイプ３６２が、該フィン３６６間で垂直方向に離間されるまで、該ブロック３６８の外側縁部を通って垂直方向の下方に続いている。そして、該パイプ３６２は、水平方向に延びて、各フィン３６６を通って周囲に延びている。
【００９５】
上記ヒートシンク３６０のこの実施形態では、熱は、上記冷却装置５４の上記ホット側５６と、上記中央熱伝達チャンバ３６４内の液体と、上記パイプ３６２との間に伝わる。該液体は、熱を該パイプ３６８を介して該フィン３６６まで伝える。該フィン３６６および中央ブロック３６８の形状は、上記側部開口２４を通る空気、および上記軸方向ファン６２を下方に流れる空気の引き込みを援助し、図７ｂに示すように逆もまた同様である。
【００９６】
図８は、熱伝達チャンバ４６２と、該伝達チャンバ４６２をラジエータ４６６に接続する少なくとも二つのパイプ（図８では、それらのうちの一方、４６４、のみを見ることができる）と、該ラジエータ４６６の上の軸方向ファン４６８と、上記ハウジング１８の上記側部開口２４の上から下方へ、該ファン４６８に隣接する丸みの付いた中心点４７４に向かって先細りになっている概して円錐形状の空気流ガイド４７２とを備えている水冷システム４６０を示す。
【００９７】
上記冷却装置（この略図には図示せず）は、上記熱伝達チャンバ４６２の上面４７６に当接して、該チャンバ４６２内の水に熱を伝える。該チャンバ４６２内の該水は、該チャンバ４６２内のポンプ（図示せず）により、該システムを通って循環される。例えば、該水の流路は、該チャンバ４６２から第一のパイプ４６４、該ラジエータ４７０、第二のパイプ（図示せず）へ、そして、そこから該チャンバ４６２に戻ってもよい。
【００９８】
上記ラジエータ４７０とファン４６８は、上記装置１０の上記ハウジング１８によって適切に支持され、熱は、該ラジエータ４７０を介して放熱される。一定の空気流が、該流れを下方向に促進する上記軸方向ファン４６８によって維持される。
【００９９】
上記空気流ガイド４７２は、水平方向の空気流から垂直方向の空気流への実質的に直角な方向の変化を開始するように、上記ハウジング１８の上記側部開口２４から上記ファンによって引き込まれた空気を方向付け、その結果、該空気は、該ファン４６８を通って流れて、該ラジエータ４７０を通過することができる。このことは、上記装置１０の上記下部開口１４８からの熱の放熱を支援する。
【０１００】
空気流ガイド４７２は、どの構成要素から該ガイドに対して熱がほとんどあるいは全く伝達されないように、断熱性熱可塑性物質から構成されている。さらに、該空気流ガイド４７２は、構成要素のセパレーションを支援し、熱い構成要素と冷たい構成要素の間の最小限の熱伝達を確実にする。該空気流ガイド４７２は、上記ハウジング１８から都合良く懸架されているが、該伝達チャンバ４６２から懸架してもよい。
【０１０１】
使用時に、図５から図８に関連して詳述した上記ヒートシンクは、上記容器３０を通って該ヒートシンク内まで延びているねじ（図示せず）を用いて、該容器３０に取り付けられている。このことは、各ヒートシンクの放熱特性に妥協することなく、該ヒートシンクを該容器３０から懸架できるようにする。
【０１０２】
次に、図９を参照すると、これは、冷却性能を高めるために組み込むことができるボトルシール５００を示す。該ボトルシール５００は、ゴムガスケット５０２または他のフレキシブルシールの形態をとっている。この実施例では、該ガスケット５０２は、（上記元のベゼル１４の内側の上記スカート１００がないという点が変更された）変更ベゼル５０４と、上記装置１０の上記光学素子１１４との間に締め付けられている。該シール材料の柔軟性は、ボトル（図示せず）を該ガスケット５０２を介して該装置１０に容易に挿入できることを意味し、該ガスケットは、邪魔にならないように撓んで、該ボトルの側部に接触して支持するが、該外部環境からの熱に対するバリアを形成し、それによって、該装置１０の冷却性能を改善する。このことは、特に該外部環境が熱くなる可能性のある状況で、または、該装置１０が、長期間、作動する可能性があり、エネルギーコストを低減する必要がある状況で有利である。
【０１０３】
さらなる選択肢では、図１０ａおよび図１０ｂに作動時で示すように、ボトルロックシステム５１０を上記装置１０に組み込んで、ボトル５１２を固定してもよい。この実施例では、該ボトルロックシステム５１０は、上記チャンバ壁３６を貫通して短い距離だけ延びている、少なくとも一つのソレノイドボルト５１４を備えている。必要な場合には、該ボルト５１４は、該チャンバ１２の中心に向かって径方向内側に延び、および展開位置において定位置に固定される。このことは、該ボトル５１２を上記容器３０から自由に取り出すことができる図１０ａから、該ボルトが該容器３０の有効径を制限するように、該ボルト５１４が、該チャンバ壁３６を貫通して該ボトルチャンバ１２内まで延びている図１０ｂへの動きで図示されている。該ボルト５１４が該ボトルチャンバ１２内に延びている距離は、その上部５１６が、典型的には、図示されているように上方に向かって先細りになっている、挿入されたボトル５１２にぶつからないように、および該ボトル５１２を取り出すことができないように十分に延びているように計算されている。該ボトルロックシステム５１０は、許可されたユーザにより、遠隔制御、ブルートゥース（登録商標）装置またはスマートタッチ機構を用いて制御することができる。これらの形状構成は後述する。
【０１０４】
主に図２を参照すると、使用時に、上記装置１０の主な目的は、冷却することであり、または、少なくとも、上記チャンバ１２に挿入されたボトルの既に冷たい温度を維持することである。これを実現するために、上記容器３０が、上記冷却装置５４の上記コールド側５８によって冷却されるとともに、熱が、上記放熱システム３４によって、該冷却装置５４の該ホット側５６から放熱される。
【０１０５】
上記冷却装置５４は、上記容器３０を所定の温度まで冷却する。この所定の温度は、該容器３０に挿入されているボトル内のシャンパンまたは他の飲料が正しい温度に維持されるように計算される。該容器３０およびヒートシンク６０は、所定の温度への冷却のみを可能にするような寸法を有し、また、該冷却装置５４および上記ファン６２のパワー入力要件は、上記装置１０の冷却能力が、所要の温度に対してのみ最適になるように選択される。そのため、組合せて使用される構成要素は、好ましくは、単一の温度に関しての冷却のみを可能にするように設計される。
【０１０６】
温度調節は、上記容器３０に組み込まれ、およびＣＰＵ（図示せず）によって制御される目立たないサーモスタット（図示せず）の組込みによって実現してもよい。
【０１０７】
冷却プロセスの開始時において、上記ファン６２および冷却装置５４は、通常よりも高レベルで作動させることができ、周囲温度から所要の温度までの、より迅速な降下を可能にしている。サイクルの終了時において、氷または水が、上記容器３０の底部に溜まった場合、極性スイッチ（図示せず）を用いることにより、該冷却装置５４の極性を切り換えて、該容器３０の加熱を可能にして、水を蒸発させおよび／または集積した氷を溶かすことが可能である。
【０１０８】
図１１は、上記装置１０内で用いることができるハードウェアの概要を示す。該装置１０の制御および動作は、該装置１０のすべての電気システムに接続しているＣＰＵ１１８によって処理される。図示されているモジュールは、以下に記載されている動作を実現するために、多くの異なる組合せで用いてもよいこと、および本発明の範囲から逸脱することなく、他の関連するモジュールを組み込んでもよいことは正しく認識されるであろう。同様に、いくつかのモジュールは、それらの機能が必要ない場合には省くことができる。
【０１０９】
さらに、図１２ａ〜図１２ｄは、異なる状況下での上記装置１０の可能性のある動作を詳述するフロー図である。次に、該装置１０および該装置１０に組み込んでもよい任意の形状構成の動作について、図１１〜図１２ｄを参照して説明する。
【０１１０】
上記装置１０の動作の最もシンプルなモードは、オン／オフモードである。該オン／オフモードにおいて、該装置１０に供給される主電源電力６００は、電源アダプタ６０１および入力ケーブル６０２を介して回路基板１２０へ送られる。上記ＣＰＵ１１８は、パワー入力を検出して、該装置１０を作動させる。該装置１０の作動は、極性スイッチ６０３を用いて、上記冷却装置５４を切り換えて上記容器３０を冷却することと、ファン速度制御部６０４を用いて、該ファン６２を作動させることと、カラー（ＲＧＢ）制御部６０６によって、ＬＥＤ基板１０８を必要に応じて作動させることとを含む。このプロセスは、以後、該装置または作動されている該装置の作動と呼ぶことにする。この最もシンプルな動作のモードにおいて、該装置１０は、それに電力が供給されると、常に動作する。
【０１１１】
シングルサイクルモードと呼ばれる、上記ＣＰＵ１１８によって実施される代替的なモードが図１２ａに図示されている。シングルサイクルモードは、上記ベゼル１４に接続している容量性接点によって実現されるタッチ能力を利用する。シングルサイクルモードプロセス６１０において、主電源パワー入力が上記回路基板１２０に供給されて（６１２）、該ＣＰＵ１１８によって検出される（６１４）。次のステップでは、該シングルサイクルモードプロセス６１０において、該ＣＰＵ１１８は、上記装置１０を作動させる（６１６）。該回路基板１２０上のタイマーモジュール６１８が作動され、予め適切に設定された所定時間、例えば、５時間、サイクルが始まる（６１６）。このサイクルの間、上記ベゼル１４への何らかのタッチ入力は、該ＣＰＵ１１８による該装置１０の動作の変更を引き起こさない。５時間のサイクルの終了時に、該タイマー６１８の動作が停止され、該ＣＰＵ１１８は、該装置１０を待機設定に切り換える（６２０）。該待機設定の間、該ベゼル１４への入力は、該ＣＰＵ１１８によって記録される（６２１）。該ベゼル１４が触れられると（６２２）、該プロセスは、ステップ６１６へ戻り、該装置１０は、初期化の５時間サイクルで作動する。
【０１１２】
上記待機設定では、上記冷却装置５４およびファン６２は作動していない。上記ＬＥＤ基板１０８は、待機モードが作動していることを示すように選択された色で薄暗くなっている。上記断熱カップ１４０と上記ハウジング１８との間に組み込まれたスピーカーまたはブザー６２４は、上記装置１０が待機に切り換えられたことをユーザに警告することができる。
【０１１３】
図１２ｂは、以後、「追加時間モード」と呼ぶ別のモードにおける上記装置１０の動作を示しているが、１時間以上または１時間未満の追加期間も可能であろう。該追加時間モードプロセス６３０は、まず、シングルサイクルモードの最初の三つのステップとして動作し、すなわち、上記ＣＰＵ１１８は、パワー入力（６１２）を検出して（６１４）、それに応じて該装置１０を作動させる（６１６）が、この期間中は、タッチ入力を何ら記録しない。また、該ＣＰＵ１１８は、上記タイマー６１８を、例えば、５時間に設定されたタイマーサイクルの間、作動させる（６１６）。この実施例において、４時間の該タイマーサイクルが経過した第四のステップ６３２において（すなわち、１時間、残っている場合）、上記ベゼル１４へのタッチ入力は、記録することができる（６３３）。該ベゼル１４が、この期間中に触れられた場合（６３４）、追加時間が最大限まで該タイマーサイクルに追加される（６３６）。この任意の限度は、多くの時間が誤って該タイマーサイクルに追加されることを生じる、該ベゼル１４の偶発的なタッチを防止する。
【０１１４】
例えば、上記タイマーの３０秒が残っている場合（すなわち、この実施例において、４時間５９分と３０秒が経過している場合）、該ベゼル１４が、残りの時間で触れられない場合（６３８）、視覚的警告、および必要に応じて、音響的警告（スピーカーまたはブザー６２４が設けられている場合）が発せられる（６４０）。該警告が、該ユーザに該ベゼル１４を押下させた場合（６４２）、追加時間が該タイマーサイクルに追加され（６３６）、該プロセスは、ステップ６３３に戻る。３０秒の警告が与えられた後でも、該サイクルの終了の前に、該ユーザが該ベゼル１４に触れない場合（６４４）、該タイマーサイクルは終了し（６４６）、該タイマー６１８の動作は停止され、および上記ＣＰＵ１１８は、上記装置１０を待機に切り換える（６４６）。該装置１０が待機になっている間に、該ベゼル１４が触れられた場合（６４８）、ステップ６１６において、該タイマーサイクルが元の所定の制限時間に設定された状態で、該サイクルが再び始まる。
【０１１５】
図１２ｃは、上記装置１０を毎日、同じ時間に作動させ、および該装置を所定期間、動作させるのに用いられる２４時間モードを示す。これは、バー等の場所が、それらのすべてが、該場所の開店時に作動し、および例えば、閉店時まで作動状態のままである装置を有することを可能にする商業的環境において特に有用である可能性がある。この環境では、複数の装置が同じ電源に接続されている、さらなる形状構成を用いてもよい。場合により、それらの装置は、一つの設定をすべての装置に適用できるような集中型制御装置を共用してもよい。他のマルチ装置機構は、アプリケーション、または、図１１に示すような遠隔制御システムを介して、Ｗｉ−Ｆｉまたはブルートゥース（登録商標）システムを利用してもよい。複数の装置が、これらの方法のうちのいずれかで接続されている場合、一つの装置のための設定は、必要に応じて他の装置と共有してもよく、大きな商業的環境内での多数の装置のシンプルな構成を可能にする。
【０１１６】
図１２ｃの２４時間モードプロセス６５０において、電力が供給されて（６５２）、そのことが上記ＣＰＵ１１８によって検出された場合（６５４）、上記装置１０が作動され（６５６）、および上記タイマー６１８が、２４時間に設定されたタイマーサイクルで始動する（６５６）。当初、タッチセンサ入力は、該ＣＰＵ１１８によって記録されない（６５６）。所要の定時が経過すると（ここでもまた、５時間が実施例として用いられる）、該装置１０は、待機に切り換えられ（６５８）、該ＣＰＵ１１８によって、いずれかのタッチ入力は記録される（６５９）。上記ベゼル１４が、該サイクルの残りの１９時間の間に触れられた場合（６６０）、該装置１０が作動し（６５６）、該タイマーサイクルは、２４時間にリセットされる（６５６）。該ベゼル１４が、この期間中に触れられない場合（６６２）、該サイクルの終了時に（６６４）、該２４時間のタイマーサイクルが再スタートし（６５６）、該装置１０は、前日と同様に、同じ５時間だけ確実に作動される。
【０１１７】
別法として、中心的な定時が固定され、および上記ベゼル１４が触れられた場合に、追加時間が追加されるように、装置動作の二つの期間を可能にするために、または、該装置１０のタッチ制御を制限するために、上記２４時間モードに対して変更を行ってもよい。
【０１１８】
上記モードは、パワー入力が検出された場合に作動するが、電力供給が検出された場合に、上記ＣＰＵ１１８が上記装置１０を待機設定にセットして、該装置１０が作動されたときに、タッチ入力が指示することを可能にするように、該装置１０の動作を変更することも可能であることは正しく認識されるであろう。この変更は、以下の図１２ｄに関連して議論するモードにおいて実行される。
【０１１９】
図１２ｄによって示されているモードは、任意の選択モードである。該任意の選択モードプロセス６７０が作動されると、パワー入力が作動されて（６７４）、検出された場合に（６７６）、上記装置１０は、上記ＣＰＵ１１８によって待機に切り換えられる（６７２）。タッチ入力は、該ＣＰＵ１１８が該装置１０を作動させて（６８０）、上記ベゼル１４が触れられた場合に、タイマーサイクルを開始できるように（６８０）、該装置１０が待機状態になっている場合に記録することができる（６７８）。該装置１０は、この時点まで、待機状態に維持される。
【０１２０】
タッチ入力は、上記サイクル中には、依然として実行することができ（６８２）、および上記ＣＰＵ１１８によって記録される。上記装置１０が作動している間に、上記ベゼル１４が触れられない場合（６８４）、該装置１０は、シングルサイクルモードで動作され、該サイクルが、該ベゼル１４に対するタッチ入力がない状態で終了した場合（６８６）、待機に切り換わる（６７２）。該ＣＰＵ１１８は、上記待機設定の間、該ベゼル１４に対する何らかのタッチ入力を記録し続ける（６７８）。
【０１２１】
上記サイクルの間、タッチ入力が検出された場合に（６８８）、上記ＣＰＵ１１８は、入力の種類に従って、異なる応答をする。図１２ｄに示す実施例では、タッチ入力は、上記ベゼル１４が、続けざまに複数回、タップされたか（６９２）（例えば、３秒以内に三度のタップ）否か（６９４）に従って分類される（６９０）。該ベゼル１４が、続けざまに三度、タップされた場合（６９２）、色選択オプションが切り換えられて（６９６）、視覚的および／または音響的な確認が、それぞれ、上記ＬＥＤ基板１０８および／またはスピーカー６２４を介して該ユーザに与えられる。該タッチ入力が、三度の素早いタップを含んでいない場合（６９４）、該ＣＰＵ１１８は、選択されている該色オプション６９８の該設定を実施する。
【０１２２】
例示されているオプション選択モードは単純化したものであり、実際には、より複雑化したオプション選択プロセスが想定されている。例えば、続けざまのより多くのタップは、代替的なオプション選択を示すことができる。可能性のある設定を、以下のテーブルに示す。
【０１２３】
【表１】
2019507314.tif 000003
【０１２４】
上記に示すように、多くの異なるオプションを選択することができる。動的な色切り換えは、使用中に、上記ＬＥＤ基板１０８によって放射される光の色を変えるために選択することができる二つの選択肢のことを指す。第一の動的な色オプションでは、該色は、上記ベゼル１４が触れられて保持された場合に、利用可能な色を介してゆっくりと循環し、一方、第二の動的な色オプションでは、該色は、該ベゼル１４が触れられた場合に、次の設定された色に変わる。
【０１２５】
固定された色選択は、該ユーザが、タッチ選択によって該色を設定して、設定された期間、上記ベゼル１４に触れないことにより、該色を上記回路基板１２０のメモリモジュール７００に保存することを可能にする。
【０１２６】
色サイクルモードは、該サイクルの残りに対して使用可能なすべての色を介して、上記ＬＥＤ基板１０８の該色を循環させる。
【０１２７】
２４時間モード切り換えは、上記タイマーを２４時間サイクルで再始動させ、および図１２ｃでの２４時間モードの場合と同様に作動するように再始動させる。タッチ入力は、この適合された２４時間モード切り換えにおいて記録され、および該２４時間モードは、このオプションを再び選択することによって停止させることができる。
【０１２８】
立て続けの七回のタップは、上記ＣＰＵ１１８が、上記タッチセンサへの、上記ベゼル１４に対する七回の急なタップから成っていない任意の入力を記録しないか、または、該任意の入力に応答しないモードロックに相当する。七回のタップは、該モードロックを切り換え、および該ベゼル１４を再び、上記システムを制御するのに使用できるようにする。
【０１２９】
上記ユーザは、上記装置１０が待機に戻るまで、タップし続けてもよいため、最大数のタップが、該待機オプションのために用意されている。該ユーザは、必要なタップの回数を思い出す必要はない。正確に言えば、該ユーザは、該装置１０が待機に変わるまで、迅速にタップし続けるだけである。
【０１３０】
上記のオプション選択は、上記回路基板１２０の不揮発性メモリ７００に格納され、各上記電力供給６００がなくなって再び供給された場合に、各オプション選択を保持できるようになっている。
【０１３１】
モードおよびオプションに関するさらなる制御は、上記ベゼル１４に対して、より複雑なモードおよび入力を用いることによって実施することができる。例えば、温度センサ７０２が組み込まれている場合、該ユーザは、上記容器３０が、タッチ入力によってそれまで冷却される温度を制御することができる。
【０１３２】
記載されているようなタッチセンサを用いて、多くの種類のタッチ入力が可能であることは正しく認識されるであろう。本願明細書に記載されている該タッチ入力は、例示に過ぎず、本発明の範囲から逸脱することなく、多くの異なる入力を用いてもよい。
【０１３３】
上記システムに組み込まれている、図１１に示す任意のハードウェアモジュールは、ボトルロック７０４（図１０に関連する上記の説明を参照）、バックアップ電源７０６またはバッテリー７０８の形態の主電源、電力を該ユニットに供給するスイッチ７１０、ドライアイスチャンバまたはドライアイス生成器７１２、該ユーザに警告する、または、異なるモードを選択する（上記を参照）ためのスピーカーまたはブザー６２４、温度センサ７０２、上記チャンバ１２内にボトルがない場合に、上記装置１０の異なる動作を可能にするための近接センサ７１４、液体冷却システム（上記および図８を参照）、該チャンバ１２に組み込まれた少なくとも一つの紫外線ＬＥＤ７１６、上記ベゼル１４に触れられた場合に点灯する接触ＬＥＤ７１８、ブルートゥース（登録商標）またはＷｉ−Ｆｉモジュール７２２を用いるホームオートメーションまたは携帯電話接続７２０、および遠隔制御７２６を介して、該装置１０を制御する遠隔制御モジュール７２４である。
【０１３４】
非標準的な会場、例えば、一定の位置での上記装置１０の設置が不可能であるフェスティバルの現場または同様の場所でのイベントでの使用のために、該装置１０を携帯できるように、または、移動可能なハウジングに収容できるようにするために、バッテリー７０８を組み込んでもよい。該バッテリー７０８は、該ユーザが該ユニットに電力を任意に供給することを可能にするハードスイッチ７１０と組合せることができる。また、ハードスイッチ７１０を、デザインの単純化のために、主電源電力システム６００とともに用いてもよいが、このようなスイッチ７１０は、現時点ではオプションと見なされている。
【０１３５】
該ユーザに、視覚に訴える効果を与えるために、ＬＥＤ基板１０８に加えて、ドライアイスチャンバまたはドライアイス生成器７１２と、少なくとも一つの紫外線ＬＥＤ７１６を、上記チャンバ壁３６および断熱カップ１４０に組み込んでもよい。
【０１３６】
Ｗｉ−Ｆｉまたはブルートゥース（登録商標）モジュール７２２を介したＷｉ−Ｆｉまたはブルートゥース（登録商標）接続を通じて上記装置１０を制御するホームオートメーションシステム７２０またはアプリケーションに対する遠隔制御システム７２４または接続の形態で、該装置１０のさらなる制御を該ユーザに与えることができる。タッチ制御が依然として可能であり、また、該タッチの機能は、該遠隔システム７２４を用いて構成することができる。これらのシステム７２４、７２２もまた、温度センサ７０２とともに、または、上記近接センサ７１４および上記ボトルロック５１０を備えるボトルセキュリティシステムとともに有用であろう。該セキュリティシステムは、ユーザが、該ボトルを固定することを、または、該ボトルが、認識なく、上記チャンバ１２から取出された場合に、警告を受け取ることを可能にする。
【０１３７】
別法として、上記近接センサ７１４は、ボトルが上記チャンバ１２に入れられたときに、上記装置１０の作動を可能にするために、上記遠隔システム７２２なしで用いてもよい。該近接センサ７１４は、上記チャンバ壁３６またはベース部３８に組み込んでもよく、また、赤外線信号を利用して、物品が上記容器３０に入れられたときを判定するであろう。また、該ボトルの重量を感知するセンサを組み込むことにより、この形状構成を実装することも可能である。
【０１３８】
上記ＬＥＤ基板１０８に加えて、上記ベゼル１４が、取付け時に触れられた場合に照らす追加的なＬＥＤまたは複数のＬＥＤ７１８を、上記光学素子１１４の真下に組み込んでもよい。このことの目的は、上記装置１０を作動させることなく、取付けをする人がタッチ入力をテストできるようにすることであり、および電力が広範なシステムに供給される前に用いてもよい。
【図１】
2019507314.tif 000004
【図２】
2019507314.tif 000005
【図３】
2019507314.tif 000006
【図４】
2019507314.tif 000007
【図５】
2019507314.tif 000008
【図６】
2019507314.tif 000009
【図７ａ】
2019507314.tif 000010
【図７ｂ】
2019507314.tif 000011
【図８】
2019507314.tif 000012
【図９】
2019507314.tif 000013
【図１０ａ】
2019507314.tif 000014
【図１０ｂ】
2019507314.tif 000015
【図１１】
2019507314.tif 000016
【図１２ａ】
2019507314.tif 000017
【図１２ｂ】
2019507314.tif 000018
【図１２ｃ】
2019507314.tif 000019
【図１２ｄ】
2019507314.tif 000020
【国際調査報告】
2019507314.tif 000021
2019507314.tif 000022
2019507314.tif 000023
2019507314.tif 000024
2019507314.tif 000025